(57)【要約】【課題】操作表示用の基板と、制御用の基板とを備える冷蔵庫であって、基板の取付け間違いを防止できる冷蔵庫を提供する。【解決手段】操作表示用マイコン６２が制御用マイコン５２に操作表示基板６０を特定するための基板特定データを送信する。送信された基板特定データと、制御用マイコン５２に予め記憶された基板特定用のデータとを照合することで、操作表示基板６０の取付け間違いを判定することにより、制御基板５０に誤った操作表示基板６０が接続されるといった基板の取付け間違いを防止できる。【選択図】図３
2012189276.tif 000002
【特許請求の範囲】
【請求項１】
操作手段と表示手段の少なくとも一つが接続された操作表示基板と、前記操作表示基板と通信線で接続された制御基板と、前記操作表示基板に設けられた操作表示用マイコンと、前記制御基板に設けられた制御用マイコンとを備え、前記操作表示用マイコンが前記制御用マイコンに送信する前記操作表示基板を特定するための基板特定データと、前記制御用マイコンに予め記憶された基板特定用のデータとを照合することで、前記操作表示基板の取付け間違いを判定することを特徴とした冷蔵庫。
【請求項２】
前記操作表示用マイコンが前記制御用マイコンに冷蔵庫の機種を特定するための機種特定データを送信し、前記基板特定データと前記機種特定データの組合せと、前記制御用マイコンに予め記憶された組合せとを照合することで、前記操作表示基板の取付け間違いを判定することを特徴とした請求項１に記載の冷蔵庫。
【請求項３】
前記操作表示用マイコンが前記制御用マイコンに冷蔵庫の機種を特定するための機種特定データを送信し、前記機種特定データと、前記制御用マイコンに予め記憶された制御基板特定用のデータとを照合することで、前記制御基板の取付け間違いを判定することを特徴とした請求項１に記載の冷蔵庫。
【請求項４】
前記機種特定データは、前記操作手段により入力されることを特徴とした請求項２または３に記載の冷蔵庫。
【請求項５】
前記操作表示基板は冷蔵庫の前面側に設けられ、前記制御基板は冷蔵庫の背面側に設けられたことを特徴とする請求項１〜４のいずれか１項に記載の冷蔵庫。
【発明の詳細な説明】
【技術分野】
【０００１】
本発明は、冷蔵庫に関し、特に制御基板と表示基板のそれぞれにマイコンが搭載された冷蔵庫に関する。
【背景技術】
【０００２】
従来、冷蔵庫本体側に備えられた制御手段と、冷蔵庫扉側に設けられた表示手段とを備えた冷蔵庫がある。制御手段は、庫内温度などを制御する温度制御部などを構成する制御基板を備えており、表示手段は、表示部を構成する表示基板を備えている。
【０００３】
このような冷蔵庫では、制御基板と表示基板のそれぞれにマイコンを搭載し、冷蔵庫本体側の制御手段から冷蔵庫扉側の表示手段に電源を供給する給電手段と、制御基板のマイコンと表示基板のマイコンとの間で通信する通信手段とを備えることで、制御基板と表示基板との間の信号線などの配線量を低減している（例えば、特許文献１参照）。
【先行技術文献】
【特許文献】
【０００４】
【特許文献１】特開２００３−２６９８４８号公報
【発明の概要】
【発明が解決しようとする課題】
【０００５】
近年、冷蔵庫の機能が複雑化し、特定の機能を備えた機種と備えない機種があるなど、冷蔵庫の機種のバリエーションが増える一方、コストダウンのために部品の共用化が進んでいる。このため、制御基板は複数の冷蔵庫で共用し、表示基板は、その冷蔵庫が備えた機能に応じた表示基板を選択するという場合が生じている。また、同じ機能を備えた機種でも、冷蔵庫の容量によって制御基板が異なる制御データを有しているという場合も生じている。
【０００６】
しかし、このように、ある制御基板に接続可能な表示基板が複数存在する場合や、冷蔵庫に接続可能な制御基板が複数存在する場合などには、工場で冷蔵庫を組立てる際や、修理などで基板を交換する際に、誤った表示基板や制御基板が接続されてしまうという恐れが生じる。例えば、冷蔵庫本体は特定の機能を有しているのに、その機能を有していない冷蔵庫用の表示基板が誤って接続されてしまう恐れがある。または、冷蔵庫の容量と異なる容量の制御基板が誤って接続されてしまう恐れが有る。このような場合、本来、冷蔵庫が有している特定の機能が発揮できなくなるといった不具合が生じていた。
【０００７】
本発明は、上記従来の課題を解決するもので、基板の取付け間違いを防止できる冷蔵庫を提供することを目的とする。
【課題を解決するための手段】
【０００８】
上記従来の課題を解決するために、本発明の冷蔵庫は、操作手段と表示手段の少なくとも一つが接続された操作表示基板と、前記操作表示基板と通信線で接続された制御基板と、前記操作表示基板に設けられた操作表示用マイコンと、前記制御基板に設けられた制御用マイコンとを備え、前記操作表示用マイコンが前記制御用マイコンに送信する前記操作表示基板を特定するための基板特定データと、前記制御用マイコンに予め記憶された基板特定用のデータとを照合することで、前記操作表示基板の取付け間違いを判定するものである。
【０００９】
これにより、工場で冷蔵庫を組立てる際や、修理などで基板を交換する際に、作業者は、取り付けた操作表示基板が誤った仕様の基板であることを容易に認識でき、基板の取付け間違いを防止できる。
【発明の効果】
【００１０】
本発明は、制御基板や表示基板が誤って取付けられていることを、作業者に容易に認識させることで、基板の取付け間違いを防止できる冷蔵庫を実現できる。
【図面の簡単な説明】
【００１１】
【図１】本発明の実施の形態１における冷蔵庫の正面図
【図２】本発明の実施の形態１における、操作表示手段の概略構成図
【図３】本発明の実施の形態１における制御装置のブロック図
【図４】本発明の実施の形態１における制御装置が行うフローチャート
【発明を実施するための形態】
【００１２】
第１の発明は、操作手段と表示手段の少なくとも一つが接続された操作表示基板と、操作表示基板と通信線で接続された制御基板と、操作表示基板に設けられた操作表示用マイコンと、制御基板に設けられた制御用マイコンとを備え、操作表示用マイコンが制御用マイコンに送信する操作表示基板を特定するための基板特定データと、制御用マイコンに予め記憶された基板特定用のデータとを照合することで、操作表示基板の取付け間違いを判定するものである。これにより、工場で冷蔵庫を組立てる際や、修理などで基板を交換する際に、作業者は、取り付けた操作表示基板が誤った仕様の基板であることを容易に認識でき、基板の取付け間違いを防止できる。
【００１３】
第２の発明は、特に第１の発明において、操作表示用マイコンが制御用マイコンに冷蔵庫の機種を特定するための機種特定データを送信し、基板特定データと機種特定データの組合せと、制御用マイコンに予め記憶された組合せとを照合することで、操作表示基板の取付け間違いを判定するものである。これにより、作業者は、取り付けた操作表示基板が、冷蔵庫の仕様に応じた制御表示基板ではないことを容易に認識できるため、制御基板に接続可能な操作表示基板が複数存在する場合であっても、基板の取付け間違いを防止できる。
【００１４】
第３の発明は、特に第１の発明において、操作表示用マイコンが制御用マイコンに冷蔵庫の機種を特定するための機種特定データを送信し、前記機種特定データと、前記制御用マイコンに予め記憶された制御基板特定用のデータとを照合することで、制御基板の取付け間違いを判定するものである。これにより、作業者は、取り付けた制御基板が、冷蔵庫の仕様に応じた制御基板ではないことを容易に認識できるため、冷蔵庫の仕様により接続可能な制御基板が複数存在する場合であっても、基板の取付け間違いを防止できる。
【００１５】
第４の発明は、特に第２または第３の発明において、機種特定データは、操作手段により入力されるものである。これにより、別途の入力手段を設ける必要がないため、生産コストをかけることなく基板の取付け間違いの防止を実現できる。また、修理等で基板を交換する場合には、冷蔵庫の設置場所へ別途の入力手段を持っていく必要がないので、作業者に負担を強いることなく、基板の取付け間違いの防止を実現できる。
【００１６】
第５の発明は、特に第１〜４のいずれか１つの発明において、操作表示基板は冷蔵庫の前面側に設けられ、制御基板は冷蔵庫の背面側に設けられたものである。これにより、作業者は、冷蔵庫の前面側で操作表示基板を取り付けた作業者は、冷蔵庫の周囲を移動し、背面側に設けられた制御基板を確認することなく、取付けた操作表示基板が誤った仕様の基板であることを容易に認識でき、基板の取付け間違いを防止できる。
【００１７】
以下、本発明の冷蔵庫の実施の形態について、図面を参照しながら説明する。なお、この実施の形態によって本発明が限定されるものではない。
【００１８】
（実施の形態１）
図１は、本発明の実施の形態１における冷蔵庫の正面図である。図１において、冷蔵庫２１は、観音開き式の扉を備える冷蔵庫であり、断熱箱体内に複数に区画された貯蔵室を備えている。
【００１９】
具体的には貯蔵室として、上部より冷蔵室２２、製氷室２３、製氷室２３に併設され室内の温度が変更可能な切換室２４、冷凍室２５、および野菜室２６を備えている。また、冷蔵室２２の内部の右側下部（切換室２４の上方）には、チルド室またはパーシャル室（図示せず）が設けられている。
【００２０】
各貯蔵室の開口部には、例えばウレタンのような発泡断熱材を発泡充填した断熱扉が設けられている。具体的には、冷蔵室２２には断熱箱体の開口部を開閉可能に塞ぐ左扉３１ａおよび右扉３１ｂが設けられている。
【００２１】
また、製氷室２３、切換室２４、冷凍室２５、および野菜室２６は引き出し式の貯蔵室であり、それぞれ引き出し式の扉３２、扉３３、扉３４、および扉３５が設けられている。
【００２２】
冷凍室２５と野菜室２６の後側には、冷却器（図示せず）およびファン（図示せず）が設けられており、冷蔵庫２１の本体上部に設置された圧縮機（図示せず）が駆動することにより、冷却器から冷却された空気（冷気）がダンパを介して各貯蔵室に送られる。また、それぞれの貯蔵室ごとに所定の温度に冷却制御される。
【００２３】
また、右扉３１ｂの右側上方には冷蔵庫２１の機種名を示すラベルなどの表示４０が貼り付けられている。さらに、右扉３１ｂには、右扉３１ｂの回動軸とは反対側の端辺に沿って扉化粧板４１が取り付けられている。扉化粧板４１には裏側から操作表示手段４２が取り付けられており、その取り付け位置は、一般的な使用者や作業者の目の高さ程度の高さ位置である。
【００２４】
図２は、操作表示手段４２の構成図である。図２に示すように、操作表示手段４２には、表示手段を備えている。表示手段は、上から順に省エネ運転を行っているかどうかなどの運転状態を表示する運転状態表示手段４３、冷蔵庫２１の異常などを表示する異常表示手段４５、使用者により設定された状態などを表示する複数個の状態表示手段４６などから構成されている。また、表示手段の下部には、操作手段として、設定温度調節や運転モード切換えを行なう複数個の操作スイッチ４７が設けられている。
【００２５】
さらに、運転状態表示手段４３と異常表示手段４５の間には、冷蔵庫２１周囲の明るさを検知する照度検知手段４４が設けられている。照度検知手段４４は、内部にフォトダイオードやフォトトランジスタの受光素子を内蔵した光センサーで構成されている。
【００２６】
運転状態表示手段４３、状態表示手段４６は、発光ダイオード（ＬＥＤ）で構成されている。また、異常表示手段４５は、７つのＬＥＤを組合せた７セグメントＬＥＤを２つ並べて構成されている。
【００２７】
操作スイッチ４７は、上から順に、上移動スイッチ、メニュースイッチ、下移動スイッチと対応付けられている。例えば、冷蔵室２２の温度レベルを変更する場合には、使用者
は、まず、メニュースイッチを押し、状態表示手段４６に「冷蔵」の表示がされるように、上移動スイッチ、または、下移動スイッチを操作する。そして、状態表示手段４６に「冷蔵」が表示された状態で、再び、メニュースイッチを押し、冷蔵室２２の温度レベルを変更するモードに入り、上移動スイッチ、または、下移動スイッチにより、状態表示手段４６に「強」、「中」、「弱」のいずれかを表示させ、さらにメニュースイッチを押すことで、温度レベルを選択する。このように、操作スイッチ４７により、貯蔵室の部屋毎に温度調節できる。
【００２８】
操作表示手段４２は、光センサー、ＬＥＤ、操作表示用マイクロコンピュータ（操作表示用マイコン）などが実装された操作表示基板を備えており、操作表示基板は、扉化粧板４１の内側に設けられている。また、冷蔵庫２１の本体背面上部には、制御手段が設けられている。制御手段は、制御用マイクロコンピュータ（制御用マイコン）などが実装された制御基板を備えている。
【００２９】
図３は、制御手段と操作表示手段とで構成された制御装置のブロック図である。図３において、制御基板５０は、商用電源が印加される電源手段５１と、電源手段５１から電源が供給されて駆動する制御用マイコン５２、操作表示基板６０に電源を供給する給電手段５３、操作表示基板６０との制御信号の通信を行う制御基板側送受信手段５４とを備えている。
【００３０】
制御用マイコン５２には、ファンを駆動するファン駆動手段５５、圧縮機を駆動する圧縮機駆動手段５６、ダンパの開閉を行うダンパ駆動手段５７、各貯蔵室の温度を検出する温度検出手段５８などが電気的に接続されている。
【００３１】
操作表示基板６０は、給電手段５３から電源の供給を受ける受電手段６３、受電手段６３から電源が供給されて駆動する操作表示用マイコン６２、制御基板５０との制御信号の通信を行う操作表示基板側送受信手段６４とを備えている。
【００３２】
操作表示用マイコン６２には、運転状態表示手段４３、照度検知手段４４、異常表示手段４５、複数個の状態表示手段４６、操作スイッチ４７が電気的に接続されており、照度検知手段４４や、操作スイッチ４７からの入力信号に応じて、運転状態表示手段４３、状態表示手段４６に制御信号を送り、適切な表示を行う。
【００３３】
制御基板側送受信手段５４と操作表示基板側送受信手段６４との間は、コネクタなど有する通信線で接続されている。これにより、温度検出手段５８が検出し制御用マイコン５２に入力された各貯蔵室の温度に関する情報や、圧縮機などの異常に関する情報は、制御基板側送受信手段５４、操作表示基板側送受信手段６４を介して、操作表示用マイコン６２に送信され、状態表示手段４６や、異常表示手段４５に表示される。または、操作スイッチ４７から操作表示用マイコン６２に入力された各貯蔵室の設定温度に関する情報は、操作表示基板側送受信手段６４、制御基板側送受信手段５４を介して、制御用マイコン５２に送信され、温度検出手段５８の検出値に応じて、各貯蔵室の温度が設定された温度となるように、ファン駆動手段５５、圧縮機駆動手段５６、ダンパ駆動手段５７などに制御信号を送り、ファンや圧縮機の運転や、ダンパの開閉を調整する。
【００３４】
以上のように、構成された冷蔵庫について、特に、本実施の形態の特徴である操作表示基板６０の取付け間違いを防止するために行われる制御装置の動作、作用を、図３のフローチャートに基づき説明する。
【００３５】
冷蔵庫２１に商用電源に接続し、操作スイッチ４７が予め定められた操作が行われたか否か、すなわち、制御基板や操作表示基板の誤取付を判定する検査モードに入っているか
否かを判定する（ステップＳ０）、検査モードに入った場合には、ステップＳ１に進む。そして、制御用マイコン５２は、運転状態表示手段４３、異常表示手段４５、状態表示手段４６のいずれかを点灯するように、操作表示用マイコン６２へ指示する。例えば、異常表示手段４５に、例えば、「−−」を表示することで、検査モードであることを、作業者が容易に認識できるようにする。一方、ステップＳ０で検査モードでない場合には、通常の冷蔵庫の制御運転に移行する。
【００３６】
ステップＳ１で、制御用マイコン５２は、制御基板側送受信手段５４、操作表示基板側送受信手段６４を介して、操作表示用マイコン６２に、操作基板の種類を識別するために予め定められた基板特定データの返信を要求する。そして、ステップＳ２で、操作表示用マイコン６２が基板特定データを返信があったか否かを確認する。
【００３７】
ステップＳ２において、基板特定データの返信がなかった場合には、操作表示基板６０が全く接続されていないか、操作表示基板６０が故障していると判断し、ステップＳ３に進む。ステップＳ３では、制御用マイコン５２は、給電手段５３に操作表示用マイコン６２への電源供給を停止するように指示する。
【００３８】
ステップＳ２において、基板特定データの返信があった場合には、ステップＳ４に進む。ステップＳ４で、制御用マイコン５２は、操作表示用マイコン６２から受信した基板特定データが、制御基板５０に設けられた不揮発性メモリ（図示せず）に予め記憶された複数の基板特定用のデータの１つと一致するか否かを確認する。
【００３９】
ステップＳ４において、操作表示用マイコン６２から受信した基板特定データが、不揮発性メモリに記憶された複数の基板特定用のデータの１つと一致しない場合には、誤った操作表示基板６０が取付けられていると判断し、ステップＳ５に進む。ステップＳ５では、制御用マイコン５２は、異常表示手段４５に予め定められた第１のエラー番号を表示するように、操作表示用マイコン６２へ指示する。
【００４０】
ステップＳ４で、操作表示用マイコン６２から受信した基板特定データが、不揮発性メモリに記憶された複数の基板特定用のデータの１つと一致した場合には、少なくとも、接続された操作表示基板６０は、制御基板５０に接続可能な種類の基板であると判断し、ステップＳ６に進む。
【００４１】
ステップＳ６では、制御用マイコン５２は、運転状態表示手段４３、異常表示手段４５、状態表示手段４６のいずれかを点灯するように、操作表示用マイコン６２へ指示する。例えば、異常表示手段４５に、冷蔵庫２１の機種を識別する番号（以下、機種識別番号と称する。例えば、機種名の下２桁を１６進数に変換した番号）の入力を作業者に促す予め定められた数字または記号を表示させる。この数字または記号を確認することで、作業者は、次に行う作業が冷蔵庫２１の機種識別番号の入力であることを認識できる。そして、作業者は、表示４０の機種名を確認し、操作スイッチ４７からその機種名に対応する機種識別番号を入力する。
【００４２】
次に、ステップＳ７に進み、作業者によって、操作スイッチ４７から機種識別番号が入力されるのを待ち、機種識別番号が入力されるとステップＳ８に進む。ステップＳ８では、制御用マイコン５２は、機種識別番号を機種特定データに変換し、返信するように、操作表示用マイコン６２に要求する。
【００４３】
ステップＳ９で、制御用マイコン５２は、操作表示用マイコン６２から受信した機種特定データとステップＳ４で取り込んだ基板特定データの組合せが、制御基板５０に設けられた不揮発性メモリに予め記憶された組合せと一致するか否かを確認する。
【００４４】
ステップＳ９において、機種特定データと基板特定データの組合せが、不揮発性メモリに予め記憶された組合せに一致しない場合には、操作表示基板６０は、制御基板５０に接続可能な種類の基板ではあるものの、冷蔵庫２１が有する機能に応じた操作表示基板ではないと判断し、ステップＳ１０に進む。
【００４５】
ステップＳ１０では、制御用マイコン５２は、異常表示手段４５に予め定められた第２のエラー番号を表示するように、操作表示用マイコン６２へ指示する。
【００４６】
ステップＳ１０において、機種特定データと基板特定データの組合せが、不揮発性メモリに予め記憶された組合せと一致した場合には、取付けられた操作表示基板６０は正しい操作表示基板であるため、ステップＳ１１に進む。
【００４７】
ステップＳ１１で、制御用マイコン５２は、操作表示用マイコン６２から受信した機種特定データが、制御基板５０に設けられた不揮発性メモリに予め記憶された複数の制御基板特定用のデータの１つと一致するか否かを確認する。
【００４８】
ステップＳ１１において、機種特定データと複数の制御基板特定用のデータの１つとが一致しない場合には、操作表示基板６０は、制御基板５０に接続可能な種類の基板ではあるものの、冷蔵庫２１が有する機能や容量に応じた制御基板ではないと判断し、ステップＳ１２に進む。
【００４９】
ステップＳ１２では、制御用マイコン５２は、異常表示手段４５に予め定められた第３のエラー番号を表示するように、操作表示用マイコン６２へ指示する。
【００５０】
ステップＳ１１において、機種特定データと複数の制御基板特定用のデータの１つとが一致した場合には、取付けられた制御基板５０は正しい制御基板であるため、本プログラムルーチンを終了し、通常の冷蔵庫の制御運転に移行する。
【００５１】
本実施の形態では、操作表示基板６０から基板特定データの返信がなかった場合には、給電手段５３から操作表示用マイコン６２への電源供給が停止するため、運転状態表示手段４３、異常表示手段４５、複数個の状態表示手段４６のいずれもが消灯する。これにより、工場で冷蔵庫を組立てる際や、修理などで基板を交換する際に、作業者は、操作表示基板６０が接続されていないか、または、取付けられた操作表示基板６０が故障していることを容易に認識でき、基板の取付け間違いを防止できる。また、電源供給が停止されるため、操作表示基板６０に設けられた操作表示用マイコン６２のプログラムが誤って暴走することも防止できる。
【００５２】
また、本実施の形態では、操作表示用マイコン６２から受信した基板特定データが、不揮発性メモリに記憶された複数の基板特定用のデータの１つと一致しない場合には、異常表示手段４５に予め定められた第１のエラー番号を表示する。これにより、作業者は、制御基板５０に接続できない誤った操作表示基板６０が取付けられていることを容易に認識でき、基板の取付け間違いを防止できる。
【００５３】
特に、不揮発性メモリに記憶された複数の基板特定用のデータが１つのみである場合には、先のステップ（ステップＳ６以下）に進むことなく、この時点で、冷蔵庫２１が有する機能に応じた制御表示基板ではない誤った操作表示基板６０が取付けられていることを認識できる。
【００５４】
また、本実施の形態では、作業者の機種識別番号の入力待ち状態であることを、運転状
態表示手段４３、異常表示手段４５、状態表示手段４６のいずれかを点灯することで、作業者に知らせる。これにより、作業者は、次に行う作業が冷蔵庫２１の機種識別番号の入力であることを容易に認識でき、作業者は基板の取付け間違いを確認する手順を誤ることもない。
【００５５】
さらに、作業者は、表示手段や操作スイッチ４７と同じ扉に示された表示４０の機種名を確認し、その機種名に対応する機種識別番号を入力するので、作業者は冷蔵庫２１の周囲を移動し、冷蔵庫２１の背面上部に設けられた制御手段の制御基板５０などを確認する必要がないので、基板の取付け間違いを確認する作業が負担となることもない。
【００５６】
さらに、本実施の形態では、操作スイッチ４７から機種識別番号を入力するので、別途の入力手段を設ける必要がないため、生産コストをかけることなく基板の取付け間違いの防止を実現できる。また、修理等で基板を交換する場合には、冷蔵庫２１の設置場所へ別途の入力手段を持っていく必要もないので、作業者に負担を強いることもない。
【００５７】
また、本実施の形態では、機種特定データと基板特定データの組合せが、不揮発性メモリに予め記憶された組合せに一致しない場合には、異常表示手段４５に予め定められた第２のエラー番号を表示する。これにより、作業者は、第２のエラー番号を確認することで、冷蔵庫２１が有する機能に応じた制御表示基板ではない誤った操作表示基板６０が取付けられていることを容易に認識でき、基板の取付け間違いを防止できる。
【００５８】
また、本実施の形態では、機種特定データと、不揮発性メモリに予め記憶された制御基板特定用のデータの１つと一致しない場合には、異常表示手段４５に予め定められた第３のエラー番号を表示する。これにより、作業者は、第３のエラー番号を確認することで、冷蔵庫２１が有する機能や容量に応じた制御基板ではない誤った制御基板５０が取付けられていることを容易に認識でき、基板の取付け間違いを防止できる。
【００５９】
なお、以上の本実施の形態では、制御基板５０の制御用マイコン５２が操作表示基板６０の操作表示用マイコン６２に、基板特定データや機種特定データの送信を要求するものとして説明したが、操作表示基板６０の操作表示用マイコン６２が制御基板５０の制御用マイコン５２に、基板特定データや機種特定データの送信を要求するものとしてもよい。この場合には、機種特定データは、予め操作表示基板６０に設けられたディップスイッチで設定するものとすればよい。あるいは、操作表示基板６０に設けられた入力用コネクタに、別途の入力手段を接続し、入力するものとしてもよい。
【００６０】
また、ステップＳ９を実行したあと、ステップＳ１１を省略するようにしてもよい。あるいは、ステップＳ９とステップＳ１１を実行する順序を入れ替え、ステップＳ１１を行った後にステップＳ９を行ってもよい。
【００６１】
また、操作表示基板６０は操作手段と表示手段の両方が接続されるものとして説明したが、少なくともいずれか一方を制御するものとし、他方は制御基板５０に接続されていてもよい。
【００６２】
また、冷蔵庫２１は観音開き式の扉を備える冷蔵庫であり、右扉３１ｂに、操作表示基板６０、表示手段、操作スイッチ４７などが配置されるとしたが、作業者や使用者の利便性が維持されるのであれば、操作表示基板６０、表示手段、操作スイッチ４７などは右扉３１ｂ以外に取り付けられてもよい。例えば、左扉３１ａの回動軸とは反対側の端辺に沿って表示手段、操作スイッチ４７などを配置してもよい。
【００６３】
また、操作表示基板６０、表示手段、操作スイッチ４７などは、いわゆる片開き式の冷
蔵庫の前面に取り付けられてもよい。
【００６４】
また、表示手段はＬＥＤで構成されるものとして説明したが、液晶画面であってもよい。
【００６５】
また、制御基板５０は、冷蔵庫２１の背面上部に取り付けられるものとして説明したが、例えば、背面下部に取り付けられていても良い。
【産業上の利用可能性】
【００６６】
以上のように、本発明にかかる冷蔵庫は、制御基板と表示基板とが誤った組合せで取付けられていることを、作業者に容易に認識させることで、基板の取付け間違いを防止できることとなり、家庭用および業務用など様々な種類および大きさの冷蔵庫等に適用できる。
【符号の説明】
【００６７】
２１  冷蔵庫
２２  冷蔵室
２３  製氷室
２４  切換室
２５  冷凍室
２６  野菜室
３１ａ  左扉
３１ｂ  右扉
３２、３３、３４、３５  扉
４０  表示
４１  扉化粧板
４２  操作表示手段
４３  運転状態表示手段
４４  照度検知手段
４５  異常表示手段
４６  状態表示手段
４７  操作スイッチ
５０  制御基板
５１  電源手段
５２  制御用マイコン
５３  給電手段
５４  制御基板側送受信手段
５５  ファン駆動手段
５６  圧縮機駆動手段
５７  ダンパ駆動手段
５８  温度検出手段
６０  操作表示基板
６２  操作表示用マイコン
６３  受電手段
６４  操作表示基板側送受信手段
【図２】
2012189276.tif 000003
【図３】
2012189276.tif 000004
【図４】
2012189276.tif 000005
【図１】
2012189276.tif 000006